(57)【要約】【課題】濡れた体を簡単かつ短時間で乾かすことができる身体乾燥装置を提供する。【解決手段】浴室１に設置されて、浴室１内で空気Ｋを噴出する噴出手段２０と、噴出手段２０に空気Ｋを送り出す送風装置３０と、を有し、噴出手段２０から噴出される空気Ｋで、体Ｈに付着した水滴を吹き飛ばして乾燥させるように構成されている身体乾燥装置１０とする。噴出手段２０は、浴室１の壁面２、床面５、天井面７の少なくとも１箇所に設置され、足元、頭部、全身の何れかに対して空気Ｋを噴出するように構成されている。また、使用者が手に持って自在に曲がるホース２２２の先端部に空気を噴出させる噴出部２２３が設けられた手持噴出手段２２０を有している場合もある。【選択図】図２
2019124033.tif 000002
【特許請求の範囲】
【請求項１】
浴室に設置されて、該浴室内で空気を噴出する噴出手段と、
該噴出手段に空気を送り出す送風装置と、
を有し、
前記噴出手段から噴出される空気で、体に付着した水滴を吹き飛ばして乾燥させるように構成されていることを特徴とする身体乾燥装置。
【請求項２】
前記噴出手段は、前記浴室の壁面及び／又は床面に設置され、足元に対して空気を噴出するように構成されていることを特徴とする請求項１に記載の身体乾燥装置。
【請求項３】
前記噴出手段は、前記浴室の壁面及び／又は天井面に設置され、頭部に対して空気を噴出するように構成されていることを特徴とする請求項１に記載の身体乾燥装置。
【請求項４】
前記噴出手段は、前記浴室の壁面、床面、天井面の少なくとも１箇所に設置され、全身に対して空気を噴出するように構成されていることを特徴とする請求項１に記載の身体乾燥装置。
【請求項５】
前記噴出手段は、少なくとも前記壁面に設置されており、該壁面から前記浴室内に向けて略水平方向に空気を噴出するように構成されていることを特徴とする請求項４に記載の身体乾燥装置。
【請求項６】
前記噴出手段は、前記浴室の前記壁面のうちの足元に対して空気を噴出する箇所が、他より強い空気を噴出するように構成されていることを特徴とする請求項４又は５に記載の身体乾燥装置。
【請求項７】
前記噴出手段は、使用者が手に持って自在に曲がるホースの先端部に空気を噴出させる噴出部が設けられた手持噴出手段を有していることを特徴とする請求項１乃至６の何れか一項に記載の身体乾燥装置。
【請求項８】
前記手持噴出手段は、シャワーヘッド及びシャワーホースと兼用に構成されていることを特徴とする請求項７に記載の身体乾燥装置。
【請求項９】
前記送風装置は、浴槽に対するブローバス装置の空気発生源を兼ねていることを特徴とする請求項１乃至８の何れか一項に記載の身体乾燥装置。
【発明の詳細な説明】
【技術分野】
【０００１】
この発明は、濡れた体を乾かす身体乾燥装置に関するものである。
【背景技術】
【０００２】
従来、入浴やシャワー後には、タオルを用いて体に付着した水滴を拭き取り、その後に服を着るというルーチンを行うのが一般的である。また、体に水滴が付いたままの時間が長いと、体が冷える等の問題が生じるため、水滴の拭き取りが容易となるタオル等も提案されている（例えば、特許文献１参照）。
【先行技術文献】
【特許文献】
【０００３】
【特許文献１】特開２０１７−８２３５０号公報
【発明の概要】
【発明が解決しようとする課題】
【０００４】
しかしながら、入浴やシャワー後の体に付着した水滴を、もっと簡単かつ短時間で除去する手段があれば、さらに便利になることは明らかであり、そのような手段が望まれていた。
【０００５】
本発明は、このような事情に鑑みてなされたものであり、体に付着した水滴を簡単かつ短時間で乾かすことができる身体乾燥装置を提供することを課題としている。
【課題を解決するための手段】
【０００６】
かかる課題を達成するために、請求項１に記載の発明は、浴室に設置されて、該浴室内で空気を噴出する噴出手段と、該噴出手段に空気を送り出す送風装置と、を有し、前記噴出手段から噴出される空気で、体に付着した水滴を吹き飛ばして乾燥させるように構成されている身体乾燥装置としたことを特徴とする。
【０００７】
また、請求項２に記載の発明は、請求項１に記載の構成に加え、前記噴出手段は、前記浴室の壁面及び／又は床面に設置され、足元に対して空気を噴出するように構成されている身体乾燥装置としたことを特徴する。
【０００８】
また、請求項３に記載の発明は、請求項１に記載の構成に加え、前記噴出手段は、前記浴室の壁面及び／又は天井面に設置され、頭部に対して空気を噴出するように構成されている身体乾燥装置としたことを特徴する。
【０００９】
また、請求項４に記載の発明は、請求項１に記載の構成に加え、前記噴出手段は、前記浴室の壁面、床面、天井面の少なくとも１箇所に設置され、全身に対して空気を噴出するように構成されている身体乾燥装置としたことを特徴する。
【００１０】
また、請求項５に記載の発明は、請求項４に記載の構成に加え、前記噴出手段は、少なくとも前記壁面に設置されており、該壁面から前記浴室内に向けて略水平方向に空気を噴出するように構成されている身体乾燥装置としたことを特徴する。
【００１１】
また、請求項６に記載の発明は、請求項４又は５に記載の構成に加え、前記噴出手段は、前記浴室の前記壁面のうちの足元に対して空気を噴出する箇所が、他より強い空気を噴出するように構成されている身体乾燥装置としたことを特徴する。
【００１２】
また、請求項７に記載の発明は、請求項１乃至６の何れか一項に記載の構成に加え、前記噴出手段は、使用者が手に持って自在に曲がるホースの先端部に空気を噴出させる噴出部が設けられた手持噴出手段を有している身体乾燥装置としたことを特徴する。
【００１３】
また、請求項８に記載の発明は、請求項７に記載の構成に加え、前記手持噴出手段は、シャワーヘッド及びシャワーホースと兼用に構成されている身体乾燥装置としたことを特徴する。
【００１４】
また、請求項９に記載の発明は、請求項１乃至８の何れか一項に記載の構成に加え、前記送風装置は、浴槽に対するブローバス装置の空気発生源を兼ねている身体乾燥装置としたことを特徴する。
【発明の効果】
【００１５】
請求項１に記載の発明によれば、噴出手段から噴出される空気で、体に付着した水滴を吹き飛ばして乾燥させるため、タオル等で拭き取るよりも、簡単かつ短時間で体を乾かすことができる。
【００１６】
また、請求項２に記載の発明によれば、足元に対して空気を噴出するようになっているため、噴出する空気で簡単かつ短時間で足元を乾かすことができる。
【００１７】
また、請求項３に記載の発明によれば、頭部に対して空気を噴出するようになっているため、噴出する空気で簡単かつ短時間で頭部を乾かすことができる。
【００１８】
また、請求項４に記載の発明によれば、全身に対して空気を噴出するようになっているため、噴出する空気で簡単かつ短時間で全身を乾かすことができる。
【００１９】
また、請求項５に記載の発明によれば、噴出手段が少なくとも浴室の壁面に設置されていて、当該壁面から略水平方向に空気を噴出するように構成されているため、手ぶらで簡単に体を乾かすことができ、かつ、横方向から空気を当てて全身を一気に乾かすことができる。
【００２０】
また、請求項６に記載の発明によれば、特に足元に対して噴出する空気を強いものにすることができるため、特に濡れたままだと床をベタベタにして不具合を生じる足元を確実に乾かすことができる。
【００２１】
また、請求項７に記載の発明によれば、空気を噴出させる噴出手段として、使用者が手に持ってフレキシブルに扱うことができるものを有しているため、使用者の自由な箇所に空気を当てることができ、それぞれの使用者に合わせた方法で体を乾かすことができる。
【００２２】
また、請求項８に記載の発明によれば、噴出手段がシャワーに使用するシャワーヘッドやシャワーホースを兼用したものであるため、シャワーと体の乾かしを浴室内の１つの構成を用いて行うことができ、浴室内をすっきりさせて余計なものを置かないで済むようにすることができる。
【００２３】
また、請求項９に記載の発明によれば、噴出手段に空気を送る送風装置がブローバス装置の空気発生源を兼ねているため、別に装置を設ける必要がなく、スペース的にもコスト的にも抑えた状態とすることができる。
【図面の簡単な説明】
【００２４】
【図１】本発明の実施の形態１に係る身体乾燥装置を備えた浴室を示す平面図である。
【図２】同実施の形態１に係る身体乾燥装置を備えた浴室を示す立面図である。
【図３】同実施の形態１に係る身体乾燥装置の変形例を備えた浴室を示す立面図である。
【図４】本発明の実施の形態２に係る身体乾燥装置を備えた浴室を示す平面図である。
【図５】同実施の形態２に係る身体乾燥装置を示す立面図である。
【図６】同実施の形態２に係る身体乾燥装置の変形例を備えた浴室を示す立面図である。
【図７】本発明の実施の形態３に係る身体乾燥装置を備えた浴室を示す平面図である。
【図８】同実施の形態３に係る身体乾燥装置を備えた浴室を示す立面図である。
【図９】本発明の実施の形態４に係る身体乾燥装置を備えた浴室を示す立面図である。
【図１０】本発明の実施の形態４に係る身体乾燥装置の変形例を備えた浴室を示す立面図である。
【図１１】本発明の実施の形態５に係る身体乾燥装置を備えた浴室を示す立面図である。
【図１２】同実施の形態２に係る身体乾燥装置を備えたシャワールームを示す平面図である。
【発明を実施するための形態】
【００２５】
以下、本発明の実施の形態について説明する。
［発明の実施の形態１］
図１，図２には、本発明の実施の形態１を示す。
【００２６】
この実施の形態の身体乾燥装置１０は、図１，図２に示すように、浴室１に設置されている。
【００２７】
まず、浴室１について説明する。この実施の形態の浴室１は、図１，図２に示すように、壁面２，床面５及び天井面７で囲まれた空間に浴槽３と洗い場４が設けられている所謂ユニットバスである。洗い場４には浴室１への出入口となる扉１ａが設けられており、また洗い場４には、シャワーを使用する際に利用するシャワーヘッド６が所定位置に設置されている。
【００２８】
また、身体乾燥装置１０は、図２に示すように、体Ｈに空気Ｋを吹き掛けることで、体Ｈに付着した水滴を吹き飛ばして体Ｈを乾かすものであり、噴出手段２０と送風装置３０とを有している。
【００２９】
噴出手段２０は、空気Ｋを通して噴き出すような孔や溝、スリット等の噴出口（図示省略）が複数設けられており、この実施の形態では、浴室１の壁面２に設置されており、浴室１の洗い場４側に略水平方向に空気Ｋが、体Ｈに付着した水滴を吹き飛ばす程度の所定強さで噴き出すように構成されている。また、この実施の形態の噴出手段２０は、図２に示すように、標準的な体型の人間の足元から頭部までの全身をカバーするように（全身に対して空気Ｋが吹き掛けられるように）、上下方向及び幅方向の所定範囲から空気が噴出されるように構成されている。
【００３０】
また、この実施の形態の噴出手段２０は、頭部から膝位までをカバーする本体部２１と膝下から足元までをカバーする足用部２５との２つの部位を有している。この実施の形態では、それぞれの噴出口の形状と後述する送風装置３０からの空気の強さの双方又は何れか一方が、本体部２１と足用部２５とで異なるように（ここでは足用部２５の方が強い空気Ｋが噴出するように）構成されており、これにより、足用部２５からより強い空気Ｋが噴出して、足元をより確実に乾かすように構成されている。すなわち、足元が濡れたままで脱衣所に出ると、脱衣所を濡らしてしまう等不具合が大きいため、より確実に足元を乾かすように、他の部位より強い空気Ｋが出るようになっている。
【００３１】
送風装置３０は、所謂エアコンプレッサ等の空気Ｋを送り出す装置であり、この実施の形態では、送り出す空気Ｋの圧力を調整して噴出手段２０から噴出する空気Ｋの強さを調整できるように構成されている。また、この実施の形態では、常温の空気Ｋの他、温風や冷風を出すことができるように設定されている。これにより、外気温や浴室内の温度、外気の湿度や浴室内の湿度等に応じて、圧力コントロール及び温度コントロールされた空気を噴出することができ、使用者が素早く体Ｈの水滴を吹き飛ばして体Ｈを乾かすことができると共に、噴き出した空気によって使用者が寒かったり暑かったりすることがないように快適な状態の空気を送り出すことができるようになっている。
【００３２】
また、この実施の形態の送風装置３０は、前記した噴出手段２０の本体部２１と足用部２５から所定風量の空気が噴出されるように調整されて、空気が送り出されるようになっている。この実施の形態では、足用部２５の方が本体部２１より強い空気が噴出するように調整された上で、本体部２１と足用部２５のそれぞれに空気が送り出されるようになっている。なお、噴出手段の本体部２１と足用部２５とで噴出する空気Ｋの温度が変わるように送風することも可能となっている。例えば、寒い時期には冷えやすい足元に向けて、足用部２５から噴出する空気Ｋが、本体部２１から噴出する空気Ｋより高い温度の空気Ｋを送風するようになっていても良い。
【００３３】
なお、この実施の形態では、浴室１の天井部７に浴室用のエアコンディショナー等の温度コントロールシステム４０が設置されており、前記した送風装置３０による噴き出す空気の温度調節と連動して、浴室全体の温度管理を行い、快適かつ確実に体を乾燥させることができるように構成されている。
【００３４】
また、この実施の形態では、使用者が図示しないスイッチでオンオフの操作を行うことで、身体乾燥装置１０の操作を行うようになっているが、人感センサ等により、洗い場の身体乾燥装置１０の前に人がいて、かつ、シャワーやカラン等で水や湯を使用していない状態が検出されたときに、自動的に身体乾燥装置１０のスイッチがオンになって空気Ｋが噴出するように構成されていても良い。また、所定時間経過で自動的に身体乾燥装置１０のスイッチがオフとなるように構成されていても良いし、人間が身体乾燥装置１０の前から離れたらスイッチがオフになるように構成されていても良い。さらに、センサで体Ｈの水滴の付着状態や体温等を検知して、それに応じて身体乾燥装置１０のスイッチのオンオフや、送風装置３０からの空気Ｋの強さや温度等を調整可能となっていても良い。
【００３５】
以上のように、この実施の形態の身体乾燥装置１０によれば、噴出手段２０から噴出される空気Ｋで、体Ｈに付着した水滴を吹き飛ばして乾燥させるため、タオル等で拭き取るよりも、簡単かつ短時間で体を乾かすことができる。
【００３６】
また、この実施の形態の身体乾燥装置１０によれば、全身に対して空気Ｋを噴出するようになっているため、噴出する空気Ｋで簡単かつ短時間で全身を乾かすことができる。
【００３７】
また、この実施の形態の身体乾燥装置１０によれば、噴出手段２０が少なくとも浴室１の壁面２に設置されていて、当該壁面２から略水平方向に空気Ｋを噴出するように構成されているため、手ぶらで簡単に体Ｈを乾かすことができ、かつ、横方向から空気を当てて全身を一気に乾かすことができる。
【００３８】
また、この実施の形態の身体乾燥装置１０によれば、特に足元に対して噴出する空気Ｋを強いものにすることができるため、特に濡れたままだと床をベタベタにして不具合を生じる足元を確実に乾かすことができる。
【００３９】
なお、この実施の形態において、図３の変形例に示す身体乾燥装置１１０のように、噴出手段１２０が本体部１２１と足用部１２５の他、頭用部１２９を有している構成となっていても良い。この頭用部１２９は、天井面７に設置されて略下向き方向に空気Ｋが噴き出すような孔や溝、スリット等の噴出口（図示省略）が複数設けられており、下向きに噴き出した空気Ｋが、体Ｈの特に頭部付近に付着した水滴を吹き飛ばして乾燥させるように構成されている。
【００４０】
また、この変形例の噴出手段１２０は、本体部１２１と足用部１２５と頭用部１２９との３つの部位で、それぞれの噴出口の形状と送風装置１３０からの空気の強さの双方又は何れか一方が異なるように（例えば、本体部１２１よりも足用部１２５及び頭用部１２９の方が強い空気Ｋが噴出するように）構成されており、これにより、足用部２５と頭用部１２９からより強い空気Ｋが噴出して、頭と足元をより確実に乾かすように構成されている。すなわち、前記した足元と共に、乾きにくい頭部についても本体部１２１より強い空気Ｋを噴出して、より確実に頭部を乾かすようになっているものである。
【００４１】
以上のように、この実施の形態の変形例の身体乾燥装置１１０によれば、壁面２だけでなく天井面７にも噴出手段１２０（頭用部１２９）が設置されているため、双方から噴出する空気Ｋで、より簡単かつ短時間で全身を一気に乾かすことができる。
［発明の実施の形態２］
図４，図５には、本発明の実施の形態２を示す。なお、この実施の形態２は、以下に説明する事項以外については前記した実施の形態１と同様であるので、前記した実施の形態１と異なる事項以外は説明を省略する。
【００４２】
この実施の形態の噴出手段２２０は、図５に示すように、浴室１の洗い場４側の壁面２に設置された本体部２２１からシャワーに使用するシャワーホース８（図６参照）に類似したホース２２２が自在に曲がるように延びており、その略先端部にシャワーヘッド６（図６参照）に類似した噴出部としてのヘッド２２３が設けられており、そのヘッド２２３に空気Ｋを通して噴き出すような孔や溝、スリット等の噴出口２２４が複数設けられている。
【００４３】
この噴出手段２２０は、シャワーのときと同様に、使用者が手に持ってフレキシブルに移動させることができるようになっており、噴出口２２４から噴き出す空気Ｋを使用者の好みの箇所に当てることができるようになっている。
【００４４】
以上のように、この実施の形態の身体乾燥装置２１０によれば、空気Ｋを噴出させる噴出手段２２０が、使用者が手に持ってフレキシブルに扱うことができるようになっているため、使用者の自由な箇所に空気Ｋを当てることができ、それぞれの使用者に合わせた方法で体Ｈを乾かすことができる。
【００４５】
なお、この実施の形態において、図６の変形例に示す身体乾燥装置３１０のように、噴出手段３２０がシャワーで使用するシャワーヘッド６やシャワーホース８と兼用に構成されていても良い。すなわち、噴出手段３２０の本体部３２１から延びるヘッド３２３がシャワーヘッド６と兼用になっており、ホース３２２がシャワーホース８と兼用になっているものである。
【００４６】
これにより、シャワーとして当該ヘッド３２３及びホース３２２から水や湯を出して使用した後に、送風装置３０から同じホース３２２及びヘッド３２３を通して空気Ｋを噴出させることで、身体乾燥装置３１０として機能させることできるようになっている。このとき、身体乾燥装置３１０として使い始める際には、ホース３２２やヘッド３２３内の水が多少噴き出すが、その後は空気Ｋが噴出して体Ｈを乾かすことができる。
【００４７】
以上のように、この実施の形態の変形例の身体乾燥装置３１０によれば、噴出手段３２０がシャワーに使用するシャワーヘッド６やシャワーホース８を兼用したものであるため、シャワーと体の乾かしを浴室１内の１つの構成を用いて行うことができ、浴室１内をすっきりさせて余計なものを置かないで済むようにすることができる。
［発明の実施の形態３］
図７，図８には、本発明の実施の形態３を示す。なお、この実施の形態３は、以下に説明する事項以外については前記した実施の形態１，２と同様であるので、前記した実施の形態１，２と異なる事項以外は説明を省略する。
【００４８】
この実施の形態の噴出手段４２０は、図７，図８に示すように、浴室１の洗い場４側の壁面２に設置された送風装置４３０からシャワーに使用するシャワーホース８と兼用のホース４２２が延びており、その略先端部にシャワーヘッド６と兼用のヘッド４２３が設けられており、そのヘッド４２３に空気Ｋを通して噴き出すような孔や溝、スリット等の噴出口（図示省略）が複数設けられている。
【００４９】
この噴出手段４２０は、シャワーのときと同様に、使用者が手に持ってフレキシブルに移動させることができるようになっており、噴出口２２４から噴き出す空気Ｋを使用者の好みの箇所に当てることができるようになっている。
【００５０】
また、この実施の形態では、浴槽３に所謂ブローバス機能（泡が出る機能）を生じさせるブローバス装置を有しており、浴槽３には、ブローバス装置を使用するときに泡が出てくるブローバス孔９を有している。
【００５１】
そして、送風装置４３０は、身体乾燥装置４１０以外に浴槽３のブローバス孔９にも繋がっており、図示しない切替スイッチの操作で、送風装置４３０をブローバス装置の空気発生源としても、身体乾燥装置４１０用にも使用することができるようになっている。
【００５２】
以上のように、この実施の形態の身体乾燥装置４１０によれば、噴出手段４２０に空気Ｋを送る送風装置４３０がブローバス装置の空気発生源を兼ねているため、別に装置を設ける必要がなく、スペース的にもコスト的にも抑えた状態とすることができる。
［発明の実施の形態４］
図９には、本発明の実施の形態４を示す。なお、この実施の形態４は、以下に説明する事項以外については前記した実施の形態１と同様であるので、前記した実施の形態１と異なる事項以外は説明を省略する。
【００５３】
この実施の形態の身体乾燥装置５１０における噴出手段５２０は、図９に示すように、浴室１の洗い場４側の壁面２の下方に設置されており、空気Ｋが下方又は斜め下方に向けて噴出するように構成されている。また、この実施の形態では、当該噴出手段５２０の近くに足を持って行くと自動的に噴出手段５２０から空気Ｋが噴出するようにセンサ（図示省略）が設けられている。
【００５４】
以上のように、この実施の形態の身体乾燥装置５１０によれば、特に足元に対して空気Ｋを噴出するようになっているため、噴出する空気Ｋで簡単かつ短時間で足元を乾かすことができる。
【００５５】
なお、この実施の形態において、図１０の変形例に示す身体乾燥装置６１０のように、噴出手段６２０が床面５に設置されており、空気Ｋが略上方に向けて噴出するようになっていても良い。この変形例では、当該噴出手段６２０に足を置くと自動的に噴出手段６２０から空気Ｋが噴出するようにセンサ（図示省略）が設けられている。
【００５６】
また、この変形例の噴出手段６２０は、水が内部に入り込まないように噴出口又は内部の所定位置に逆止弁（図示省略）が設けられている。
［発明の実施の形態５］
図１１には、本発明の実施の形態５を示す。なお、この実施の形態５は、以下に説明する事項以外については前記した実施の形態１と同様であるので、前記した実施の形態１と異なる事項以外は説明を省略する。
【００５７】
この実施の形態の身体乾燥装置７１０における噴出手段７２０は、図１１に示すように、浴室１の洗い場４側の天井面７に設置されており、空気Ｋが下方又は斜め下方に向けて噴出するように構成されている。また、この実施の形態では、壁面２に設けられた図示しないスイッチをオンオフすることで噴出手段７２０から空気Ｋが噴出するように構成されている。
【００５８】
以上のように、この実施の形態の身体乾燥装置７１０によれば、特に頭部に対して空気Ｋを噴出するようになっているため、噴出する空気Ｋで簡単かつ短時間で頭部を乾かすことができる。
【００５９】
なお、本発明の身体乾燥装置は、前記した各実施の形態のような構造に限るものではなく、他の構造のものにも適用できる。例えば、前記した各実施の形態では、浴槽３を有するユニットバスタイプの浴室１について、本発明の身体乾燥装置を設置した構成を説明してきたが、これに限るものではなく、浴室内で空気によって体に付着した水滴を吹き飛ばして体を乾かす構成であれば、ユニットバス以外の浴室やシャワールームに適用することも可能である。
【００６０】
本発明の身体乾燥装置をシャワールームに適用した例について記載すると、図１２に示すようなシャワールーム１０１について、前記した実施の形態２で示したような手にとって使用する噴出手段２２０を有する身体乾燥装置２１０を設置する場合が考えられる。また、図１２のシャワールームについて実施の形態１，実施の形態１の変形例，実施の形態２の変形例，実施の形態３で示したような各身体乾燥装置を設置した構成となっていても良い。
【００６１】
さらに、浴室やシャワールームに隣接した脱衣ルームのようなスペースにおいて、本発明の身体乾燥装置の構成を備えているような場合も考えられる。
【００６２】
また、前記した噴出手段の噴出口には、孔や溝、スリット等以外に方向を変化させられるルーバー等が設けられていても良い。
【００６３】
また、前記した壁面、天井面、床面に設けられた噴出手段については、それぞれ１箇所に限るものではなく、複数箇所に設置されていても良い。例えば、対向する壁面にそれぞれ設けられていれば、体に対して表と裏（右と左）の双方から空気が噴出するため、より早く体を乾かすことができる。また、隣接する壁面同士に略Ｌ字型に配置されていても良い。この場合も、直交する２つの方向から空気が噴出するため、より早くから賀を乾かすことができる。
【００６４】
また、前記した壁面、天井面、床面に設置した噴出手段のいずれか又は複数と手に持つタイプの噴出手段の双方が設置されていて、併用できるようになっていても良い。これにより、さらに早く体を乾かすことができる。
【００６５】
また、送風装置についても、前記したように１台で全ての噴出手段を賄うようになっていても良いし、それぞれの噴出手段毎に別の送風装置を有していても良い。
【符号の説明】
【００６６】
１  浴室
１ａ  扉
２  壁面
３  浴槽
４  洗い場
５  床面
６  シャワーヘッド
７  天井面
８  シャワーホース
９  ブローバス孔
１０，１１０、２１０，２１０ａ，３１０，４１０，５１０，６１０，７１０  身体乾燥装置
２０，１２０、２２０，２２０ａ，３２０，４２０，５２０，６２０，７２０  噴出手段
２１，１２１、２２１，３２１  本体部
２５，１２５  足用部
３０，１３０，４３０  送風装置
４０  温度調整装置
１０１  シャワールーム
１２９  頭用部
２２２，３２２，４２２  ホース
２２３，３２３，４２３  ヘッド（噴出部）
２２４  噴出口
Ｋ  空気
Ｈ  体
【図１】
2019124033.tif 000003
【図２】
2019124033.tif 000004
【図３】
2019124033.tif 000005
【図４】
2019124033.tif 000006
【図５】
2019124033.tif 000007
【図６】
2019124033.tif 000008
【図７】
2019124033.tif 000009
【図８】
2019124033.tif 000010
【図９】
2019124033.tif 000011
【図１０】
2019124033.tif 000012
【図１１】
2019124033.tif 000013
【図１２】
2019124033.tif 000014